【手続補正書】
【提出日】平成28年11月11日(2016.11.11)
【手続補正１】
【補正対象書類名】特許請求の範囲
【補正対象項目名】全文
【補正方法】変更
【補正の内容】
【特許請求の範囲】
【請求項１】
外部装置とネットワーク経由で通信する撮像装置であって、
撮像手段と、
前記撮像手段から出力された撮像画像の明るさを画像処理で変化させる第一の画像処理手段と、
前記撮像手段から出力された撮像画像の明るさを前記画像処理とは異なる画像処理で変化させる第二の画像処理手段と、
前記第一の画像処理手段の動作を制御するための第一の画像処理情報と前記第二の画像処理手段の動作を制御するための第二の画像処理情報とが記述され得る単一のコマンドを、前記外部装置からネットワークを介して受信する受信手段と、
前記受信手段で受信されたコマンドに基づき、前記第一の画像処理手段及び前記第二の画像処理手段を制御する制御手段と、
を備え、
前記第一の画像処理情報は、少なくとも前記第一の画像処理手段を動作させるのか、及び停止させるのかのいずれかの情報を含み、
前記第二の画像処理情報は、少なくとも前記第二の画像処理手段を動作させるのか、前記停止させるのか、及び動作を前記撮像装置に自動で制御させるのかのいずれかの情報を含むことを特徴とする撮像装置。
【請求項２】
前記第一の画像処理手段は、前記撮像手段から出力された複数の撮像画像を合成することで、前記撮像手段から出力された撮像画像の明るさを変化させ、
前記第二の画像処理手段は、前記撮像手段から出力された１枚の撮像画像の明るさを画像処理で変化させること特徴とする請求項１に記載の撮像装置。
【請求項３】
前記第二の画像処理情報は、前記コマンドにおいて、前記第二の画像処理情報よりも後に記述され得ることを特徴とする請求項１に記載の撮像装置。
【請求項４】
前記第一の画像処理情報は、前記第一の画像処理手段を動作させることとともに、前記第一の画像処理手段が前記撮像手段から出力された撮像画像の明るさを変化させるレベルを示すことを特徴とする請求項１に記載の撮像装置。
【請求項５】
前記レベルは、所定の範囲に制限されることを特徴とする請求項４に記載の撮像装置。
【請求項６】
前記第一の画像処理情報は、前記第一の画像処理手段を動作させるのか、又は停止させるのかを択一的に示し、
前記第二の画像処理情報は、前記第二の画像処理手段を動作させるのか、停止させるのか、又は動作を前記撮像装置に自動で制御させるのかを択一的に示すことを特徴とする請求項１に記載の撮像装置。
【請求項７】
前記受信手段で受信した前記単一のコマンドに記述された第一の画像処理情報に応じて、前記第二の画像処理手段の動作を制御するための前記第二の画像処理情報を変換する変換手段を更に備えることを特徴とする請求項１に記載の撮像装置。
【請求項８】
前記制御手段は、前記第一の画像処理手段が変化させた前記撮像画像の明るさに応じて、第二の画像処理手段の補正強度切り替える制御を含むことを特徴とする請求項１に記載の撮像装置。
【請求項９】
前記制御手段は、前記第一の画像処理手段が変化させた前記撮像画像の明るさに応じて、前記撮像装置が制御する第二の画像処理手段の動作させるか又は停止させるかを自動で制御させる制御を含むことを特徴とする請求項１に記載の撮像装置。
【請求項１０】
撮像部と前記撮像部から出力された撮像画像の明るさを画像処理で変化させる第一の画像処理部と前記撮像部から出力された撮像画像の明るさを前記画像処理とは異なる画像処理で変化させる第二の画像処理部とを有する撮像装置と、ネットワーク経由で通信する外部装置であって、
前記第一の画像処理手段の動作を制御するための第一の画像処理情報と前記第二の画像処理手段の動作を制御するための第二の画像処理情報とが記述され得る単一のコマンドを、前記外部装置からネットワークを介して送信する送信手段
を備え、
前記第一の画像処理情報は、少なくとも前記第一の画像処理手段を動作させるのか、及び停止させるのかのいずれかの情報を含み、
前記第二の画像処理情報は、少なくとも前記第二の画像処理手段を動作させるのか、前記停止させるのか、及び動作を前記撮像装置に自動で制御させるのかのいずれかの情報を含むことを特徴とする外部装置。
【請求項１１】
前記第一の画像処理情報及び前記第二の画像処理情報をユーザに入力させるユーザーインターフェース手段を更に備え、
前記単一のコマンドは、前記ユーザーインターフェース手段で入力された合成情報及び画像処理情報の記述を含むことを特徴とする請求項１０に記載の外部装置。
【請求項１２】
前記ユーザーインターフェース手段は、前記第一の画像処理情報を前記第二の画像処理情報よりも先に入力させることを特徴とする請求項１１に記載の外部装置。
【請求項１３】
前記ユーザーインターフェース手段は、前記第一の画像処理情報を入力させるための第一の画像処理情報入力領域、及び前記第二の画像処理情報を入力させるための第二の画像処理情報入力領域を表示部に表示させることを特徴とする請求項１２に記載の外部装置。
【請求項１４】
前記ユーザーインターフェース手段は、前記第一の画像処理情報入力領域を表示させた後に、前記第二の画像処理情報入力領域を表示させることを特徴とする請求項１３に記載の外部装置。
【請求項１５】
前記ユーザーインターフェース手段は、前記第一の画像処理情報入力領域を入力可能に表示させた後、前記第二の画像処理情報入力領域を入力可能に表示させることを特徴とする請求項１３に記載の外部装置。
【請求項１６】
前記ユーザーインターフェース手段は、前記表示部において、前記第一の画像処理情報入力領域を前記第二の画像処理情報入力領域よりも上に表示させることを特徴とする請求項１３に記載の外部装置。
【請求項１７】
前記第一の画像処理情報入力領域は、前記第一の画像処理部を動作させることを示す第一の画像処理動作選択肢と、前記第一の画像処理部を停止させることを示す第一の画像処理停止選択肢と、を含み、
前記第二の画像処理情報入力領域は、前記第二の画像処理部を動作させることを示す第二の画像処理動作選択肢と、前記第二の画像処理部を停止させることを示す第二の画像処理停止選択肢と、前記第二の画像処理部の動作を前記撮像装置に自動で制御させることを示す画像処理自動選択肢と、を含み、
前記ユーザーインターフェース手段は、ユーザにより前記第一の画像処理動作選択肢が選択された場合に、前記画像処理自動選択肢を選択状態にすることを特徴とする請求項１３に記載の外部装置。
【請求項１８】
撮像装置と、前記撮像装置とネットワーク経由で通信する外部装置と、で構成された撮像システムであって、
前記撮像装置は、
撮像手段と、
前記撮像手段から出力された撮像画像の明るさを画像処理で変化させる第一の画像処理手段と、
前記撮像手段から出力された撮像画像の明るさを前記画像処理とは異なる画像処理で変化させる第二の画像処理手段と、
前記第一の画像処理手段の動作を制御するための第一の画像処理情報と前記第二の画像処理手段の動作を制御するための第二の画像処理情報とが記述され得る単一のコマンドを、前記外部装置からネットワークを介して受信する受信手段と、
前記受信手段で受信されたコマンドに基づき、前記第一の画像処理手段及び前記第二の画像処理手段を制御する制御手段と、
を備え、
前記外部装置は、
前記単一のコマンドを前記撮像装置にネットワークを介して送信する送信手段、
を備え、
前記第一の画像処理情報は、少なくとも前記第一の画像処理手段を動作させるのか、及び停止させるのかのいずれかの情報を含み、
前記第二の画像処理情報は、少なくとも前記第二の画像処理手段を動作させるのか、前記停止させるのか、及び動作を前記撮像装置に自動で制御させるのかのいずれかの情報を含むことを特徴とする撮像システム。
【請求項１９】
撮像部と、前記撮像部から出力された撮像画像の明るさを画像処理で変化させる第一の画像処理部と、前記撮像部から出力された撮像画像の明るさを前記画像処理とは異なる画像処理で変化させる第二の画像処理部とを有し、且つ外部装置とネットワーク経由で通信する撮像装置の制御方法であって、
前記第一の画像処理部の動作を制御するための第一の画像処理情報と前記第二の画像処理部の動作を制御するための第二の画像処理情報とが記述され得る単一のコマンドを、前記外部装置からネットワークを介して受信する受信ステップと、
前記受信ステップで受信されたコマンドに基づき、前記第一の画像処理部及び前記第二の画像処理部を制御する制御ステップと、
を備え、
前記第一の画像処理情報は、少なくとも前記第一の画像処理手段を動作させるのか、及び停止させるのかのいずれかの情報を含み、
前記第二の画像処理情報は、少なくとも前記第二の画像処理手段を動作させるのか、前記停止させるのか、及び動作を前記撮像装置に自動で制御させるのかのいずれかの情報を含むことを特徴とする撮像装置の制御方法。
【請求項２０】
撮像部と前記撮像部から出力された撮像画像の明るさを画像処理で変化させる第一の画像処理部と前記撮像部から出力された撮像画像の明るさを前記画像処理とは異なる画像処理で変化させる第二の画像処理部とを有する撮像装置と、ネットワーク経由で通信する外部装置の制御方法であって、
前記第一の画像処理手段の動作を制御するための第一の画像処理情報と前記第二の画像処理手段の動作を制御するための第二の画像処理情報とが記述され得る単一のコマンドを、前記外部装置からネットワークを介して送信する送信ステップと、
を備え、
前記第一の画像処理情報は、少なくとも前記第一の画像処理手段を動作させるのか、及び停止させるのかのいずれかの情報を含み、
前記第二の画像処理情報は、少なくとも前記第二の画像処理手段を動作させるのか、前記停止させるのか、及び動作を前記撮像装置に自動で制御させるのかのいずれかの情報を含むことを特徴とする外部装置の制御方法。
【請求項２１】
請求項１９または請求項２０に記載の複数のステップをコンピュータに実行させるためのコンピュータプログラム。
【請求項２２】
請求項２１に記載のコンピュータプログラムを記載したコンピュータ読取可能な記憶媒体。